(57)【要約】【課題】自己校正可能な測定システムを開示する。【解決手段】測定システムは、第１の軸に沿って指向されて試料容量（８）を照明するように形成された第１の光源（１０）を有する。測定システムは第２の軸に沿って整合されたセンサ（５）を有し、試料容量（８）内の散乱光を検知するように形成される。測定システムは、校正の進行中にセンサ（５）を照明するように形成された第２の軸に沿って整合された第２の光源（６７）を有する。【選択図】図１０
2009531661.tif 000002
【特許請求の範囲】
【請求項１】
第１の軸に沿って指向されて試料容量（８）を照明するように形成された第１の光源（１０）と、
第２の軸に沿って整合されて前記試料容量（８）内の散乱光を検知するように形成されたセンサ（５）と、
前記第２の軸に沿って整合されて前記センサ（５）を照明するように形成された第２の光源（６７）と
を有し、
前記第２の光源（６７）は校正の進行中に前記センサ（５）だけを照明することを特徴とする測定システム。
【請求項２】
請求項１に記載の測定システムにおいて、
前記第２の光源（６７）は前記第１の光源（１０）の像であり、
シャッター（６２）は前記校正の進行中に前記第２の光源（６７）を点けるために使用されることを特徴とする測定システム。
【請求項３】
請求項１に記載の測定システムにおいて、
前記第２の光源（６７）は環状リングの形状であることを特徴とする測定システム。
【請求項４】
請求項１に記載の測定システムにおいて、
前記第２の軸上に配置されて前記第２の光源（１０）からの光を前記第１のセンサ（５）を横切って一様に分配するように形成された視野レンズ（２）を更に有することを特徴とする測定システム。
【請求項５】
請求項１に記載の測定システムにおいて、
前記第２の軸に沿って整合された反射レンズ（１）と、
前記第２の軸上に配置されて前記反射レンズ（１）の前記第２の焦点が視野レンズ（２）の内側に存在するように置かれた視野レンズ（２）と、
前記第２の軸に整合されたリレーレンズ系（３，４）と
を更に有し、
前記反射レンズ（１）は前記第２の軸上の第１の焦点と当該第２の軸上の第２の焦点とを有し、
前記第２の焦点は前記第１の焦点と前記反射レンズ（１）との間にあり、
前記第２の焦点は前記試料容量（８）内に置かれ、
前記リレーレンズ系（３，４）は前記反射レンズ（１）の前記第２の焦点に第１の焦点を形成し、前記第１のセンサ（５）に第２の焦点を形成し、
前記第１のセンサ（５）は前記反射レンズ（１）の前記第２の焦点近くの散乱光を検知するように形成されることを特徴とする測定システム。
【請求項６】
請求項５に記載の測定システムにおいて、
前記第２の光源（６７）は前記反射レンズ（１）の外径に配置された環状リングの形状であることを特徴とする測定システム。
【請求項７】
請求項５に記載の測定システムにおいて、
前記反射レンズ（１）の中央部分（５８）は被覆がされておらず、
前記第２の光源（６７）は前記反射レンズ（１）の前記中央部分を通して光を放出することを特徴とする測定システム。
【請求項８】
請求項１に記載の測定システムにおいて、
前記第２の軸は前記第１の軸に対して垂直であることを特徴とする測定システム。
【請求項９】
試料容量を第１の軸に沿って第１の光源で照明する工程と、
前記試料容量中の散乱光を第２の軸に沿って整合されたセンサで検知する工程と、
測定システムが校正モードにあるとき、前記センサを前記第２の軸に沿って整合された第２の光源で照明する工程と
を有することを特徴とする測定システムを校正する方法。
【請求項１０】
請求項９に記載の測定システムを校正する方法において、
前記第２の光源は前記第１の光源の像であり、
前記第２の光源と前記第１のセンサとの間に配置されたシャッターは前記校正の進行中に前記第２の光源を点けるために使用されることを特徴とする測定システムを校正する方法。
【請求項１１】
請求項９に記載の測定システムを校正する方法において、
前記第２の光源は環状リングの形状であることを特徴とする測定システムを校正する方法。
【請求項１２】
請求項９に記載の測定システムを校正する方法において、
視野レンズを前記第２の軸上に配置する工程であって、当該視野レンズは光を前記第２の光源から前記第１のセンサを横切って一様に分配する工程を更に有することを特徴とする測定システムを校正する方法。
【請求項１３】
請求項９に記載の測定システムを校正する方法において、
反射レンズを前記第２の軸に沿って整合させる工程であって、当該反射レンズは当該第２の軸上の第１の焦点と当該第２の軸上の第２の焦点とを有し、当該第２の焦点は当該第１の焦点と当該反射レンズとの間にあり、当該第２の焦点は前記試料容量中に置かれる工程と、
前記第２の軸上であって前記反射レンズの前記第２の焦点が視野レンズの内側に存在するような位置に当該視野レンズを配置する工程と、
リレーレンズ系を前記第２の軸に整合させる工程であって、当該リレーレンズ系は前記反射レンズの前記第２の焦点に第１の焦点を形成し、前記第１のセンサに第２の焦点を形成し、当該第１のセンサは当該反射レンズの当該第２の焦点近くの散乱光を検知するように形成される工程と
を更に有することを特徴とする測定システムを校正する方法。
【請求項１４】
請求項１３に記載の測定システムを校正する方法において、
前記第２の光源は前記反射レンズの外径に配置された環状リングの形状であることを特徴とする測定システムを校正する方法。
【請求項１５】
請求項１３に記載の測定システムを校正する方法において、
前記反射レンズの中央部分は被覆がされておらず、
前記第２の光源は光を前記反射レンズの前記中央部分を通して放出することを特徴とする測定システムを校正する方法。
【発明の詳細な説明】
【技術分野】
【０００１】
液体、気体、医薬など何であれ、製品（粒子の懸濁（particle suspension）を許容できる媒体）の品質や純度は、工程専門家、技術者、科学者等には興味がある。製品品質の測定の１つとして、構成要素としての粒子（particle）又は工程の製造による粒子物体が規定量又は適切な許容範囲内に存在することを保証するために、最終製品又は製造の様々な過程における製品中の粒子物体又は粒子物体の濃度の分析評価がある。懸濁液中の粒子が未知のとき、粒子は構成、大きさ、形状が異なるかもしれない。様々な方法で、例として少し挙げれば、吸収、反射や散乱、蛍光によって、物体が光と相互作用することは公知である。例えば、濁度計（turbidimeter）、比濁計（nephelometer）、粒子係数計（particle counter）、濃度計（densitometer）等の様々な光学的手段が懸濁液（suspension）中の粒子物体を測定するために考案されてきたが、すべて基本的に異なる光学的構成を使用する。即ち、各々の光学的構成は、光の透過（transmittance）、反射（reflection）、放射（remittance）によって、懸濁する粒子の特定の属性や濃度の範囲を測定するために設計される。
【０００２】
光学的な測定器の構成に関する他の制約は、監督官庁によって、即ち、例えば、米国環境保護局の方法１８０．１（アメリカ材料試験協会）の『水の濁度のための標準試験方法』（the U.S. EPA Method 180.1, ASTM Standard Test Method for Turbidity of Water D 1889-00）による標準化方法によって、及び、水質の分析評価のための濁度の測定のための国際標準ＩＳＯ７０２７によって課せられる。これらの方法と標準とは、同様の課題を有する器具が指定されたパラメータの範囲内で報告目的のために遂行することを確実にするために、検知器に対する発光器の幾何学的な関係と集光光学系の立体角とを示す。
【０００３】
懸濁液中の粒子の存在を測定するために設計された比濁分析の測定機器に関する他の制限は、粒子の大きさと濃度の幅広い範囲を超えても障害なく動作するという機器の能力である。粒子係数計は低濃度の粒子でよく機能するが、濃度や粒子の大きさが測定器インタラプタの狭い制約、オリフィス、キャピラリを通過するための流れ蒸気（flow steam）の能力よりも大きくなるとき障害となる傾向がある。例えば濁度計等の制約のない流れ経路を備えた機器は、低濃度の粒子に対して感度が鈍い。なぜなら、検知器が自ら生成する雑音のそれより大きい、検知手段に衝突する散乱光のエネルギに主要な測定技術は依存するからである。
【０００４】
懸濁液中の粒子の測定に使用される機器で更に別の欠如しているものとして、熟練したオペレータや技術者と比濁分析装置（nephelometric device）との間で相互の影響を要求する校正標準や校正機器の導入によって、粒子の流れを破壊することなく器具の操作上の準備を評価する手段の欠如がある。
【０００５】
媒体中の懸濁粒子の有無や数の分析評価を実行し、要求される実行属性に応じて測定するシステム能力の検証を実行するために、開示される発明は、多数の比濁分析の測定機器及びシステム検証機器の必要性を排除する。
【発明の開示】
【発明が解決しようとする課題】
【０００６】
本発明の１つの特徴は、測定システムが、第１の軸に沿って指向されて試料容量を照明するように形成された第１の光源と、第２の軸に沿って整合されて試料容量内の散乱光を検知するように形成されたセンサと、第２の軸に沿って整合されてセンサを照明するように形成された第２の光源とを有し、第２の光源は校正の進行中にセンサだけを照明することである。
【０００７】
好ましくは、第２の光源は第１の光源の像であり、シャッターは校正の進行中に第２の光源を点けるために使用される。
好ましくは、第２の光源は環状リングの形状である。
好ましくは、第２の軸上に配置されて第２の光源からの光を第１のセンサを横切って一様に分配するように形成された視野レンズを更に有する。
【０００８】
好ましくは、第２の軸に沿って整合された反射レンズと、第２の軸上に配置されて反射レンズの第２の焦点が視野レンズの内側に存在するように置かれた視野レンズと、第２の軸に整合されたリレーレンズ系とを更に有し、
反射レンズは第２の軸上の第１の焦点と第２の軸上の第２の焦点とを有し、第２の焦点は第１の焦点と反射レンズとの間にあり、第２の焦点は試料容量内に置かれ、リレーレンズ系は反射レンズの第２の焦点に第１の焦点を形成し、第１のセンサに第２の焦点を形成し、第１のセンサは反射レンズの第２の焦点近くの散乱光を検知するように形成される。
好ましくは、第２の光源は反射レンズの外径に配置された環状リングの形状である。
【０００９】
好ましくは、反射レンズの中央部分は被覆がされておらず、第２の光源は反射レンズの中央部分を通して光を放出する。
好ましくは、第２の軸は第１の軸に対して垂直である。
【００１０】
本発明の他の特徴は、測定システムを校正する方法が、試料容量を第１の軸に沿って第１の光源で照明する工程と、試料容量中の散乱光を第２の軸に沿って整合されたセンサで検知する工程と、測定システムが校正モードにあるとき、センサを第２の軸に沿って整合された第２の光源で照明する工程とを有することである。
【００１１】
好ましくは、第２の光源は第１の光源の像であり、第２の光源と第１のセンサとの間に配置されたシャッターは校正の進行中に第２の光源を点けるために使用される。
好ましくは、第２の光源は環状リングの形状である。
好ましくは、視野レンズを第２の軸上に配置する工程であって、視野レンズは光を第２の光源から第１のセンサを横切って一様に分配する工程を更に有する。
【００１２】
好ましくは、反射レンズを第２の軸に沿って整合させる工程であって、反射レンズは第２の軸上の第１の焦点と第２の軸上の第２の焦点とを有し、第２の焦点は第１の焦点と反射レンズとの間にあり、第２の焦点は試料容量中に置かれる工程と、第２の軸上であって反射レンズの第２の焦点が視野レンズの内側に存在するような位置に視野レンズを配置する工程と、リレーレンズ系を第２の軸に整合させる工程であって、リレーレンズ系は反射レンズの第２の焦点に第１の焦点を形成し、第１のセンサに第２の焦点を形成し、第１のセンサは反射レンズの第２の焦点近くの散乱光を検知するように形成される工程とを更に有する。
好ましくは、第２の光源は反射レンズの外径に配置された環状リングの形状である。
好ましくは、反射レンズの中央部分は被覆がされておらず、第２の光源は光を反射レンズの中央部分を通して放出する。
【発明を実施するための最良の形態】
【００１３】
図１乃至図１２、及び、以下の記述と提示とは、本技術分野における当業者に本発明の最良の形態を製造する方法と使用する方法とを教示するために特別な例を示す。本発明の原理を教示する目的のために、従来のいくつかの局面を簡素化したり省略したりした。本技術分野の当業者は、本発明の範囲内にあるこれらの例から変形例を正しく認識するであろう。本技術分野の当業者は、以下に記述される特徴が様々な方法で結合されて本発明の多数の変形例を形成する場合があることを正しく認識するであろう。その結果、本発明は、以下に記述される特別な例に限定されず、特許請求の範囲とその同等物によってのみ限定される。
【００１４】
図１は、本発明の一実施形態における粒子測定システムの光学的配置の断面図である。粒子測定システムは、光源１０と屈曲取付部２７とメニスカスレンズ１と入力レンズ６と出力レンズ７と視野レンズ２と機器本体１９と積分球（integrating sphere）１１と透過検知器（transmit detector）１７とレンズ３と開口絞り（aperture mask）９とレンズ４と粒子検知器５とを有する。光源１０は屈曲取付部７に取り付けられ、光を第１の光軸ＡＡに沿って放出する。屈曲取付部２７は光源１０と機器本体１９との間の角度の関係を調節したり整合したりするのに使用される。空洞８はメニスカスレンズ１と入力レンズ６と出力レンズ７と視野レンズ２と機器本体１９とによって形成される。試験される媒体は紙面に対して垂直な軸に沿って空洞８内を流れる。例えばＯリング等のガスケット又はシール機器は、レンズと機器本体との間で使用され、流体に対してしっかりしたシール部（a fluid tight seal）が空洞８まわりに形成されることを助ける。出力レンズ７は機器本体１９に取り付けられ、第１の光軸ＡＡに整合される。積分球１１は出力レンズ７の近くで機器本体１９に取り付けられる。積分球１１は、第１の光軸ＡＡに整合された入口ポート１５を有する。透過検知器１７は積分球１１の出口ポート１６において、入口ポート１５に対して実質的に９０度に取り付けられる。メニスカスレンズ１と視野レンズ２とレンズ３と開口絞り９とレンズ４とは、第２の光軸ＢＢに沿って整合される。粒子検知器５は機器本体に取り付けられ、第２の光軸ＢＢに整合される。積分球１１の内側面１２は、反射率を改めるため、反射面の安定性、耐久性、安全性を高めるために、選択的に被覆される。
【００１５】
図２は、本発明の一実施形態における粒子測定システムの第１の側面図である。光源１０は、レーザー、ＬＥＤ（発光ダイオード（Light Emitting Diode））、白熱灯、放電ランプ、或いは、有益な情報を生成するために検知器を刺激できる他の任意の干渉的（coherent）又は非干渉的な（non-coherent）光源である。比濁分析装置（nephelometric device）を通る流れの入口４１と出口４４とは、機器本体１９に取り付けられた接続部３９，４２によって容易にされる入口管４０と出口管４３とによって通される。図２のクランプ３３の断面図は、ねじ３６が力をクランプ３３に適用して固定位置に検知器ホルダ３４を確実に取り付けるために、検知器スリーブ３２を押し込む手段を示す。
【００１６】
図３は、メニスカスレンズは除かれているが、本発明の一実施形態における粒子測定システムの第２の側面図である。
【００１７】
図４は、本発明の一実施形態における粒子測定システムの流路の断面図である。粒子測定システムは、メニスカスレンズ１と出力レンズ７と視野レンズ２と機器本体１９とレンズ３と開口マスク９とレンズ４と粒子検知器５と入口管４０と出口管４３とを有する。比濁分析装置を通る流れの入口４１と出口４４とは、機器本体１９に取り付けられた接続部３９，４２によって容易にされる入口管４０と出口管４３とによって通される。Ｏリングシール部４５，４６は、機器本体１９に対して配管４３，４０をシールする。第１の光軸ＡＡは紙面に対して垂直な線を形成し、第１の光軸ＡＡは幾何学的中心が出力レンズ７の光学的中心に一致される。
【００１８】
図５は、本発明の一実施形態における検知経路の光学的配置のブロック図である。図５は、対象平面４９において懸濁媒体（suspension media）４７中の粒子によってメニスカスレンズ１の方向に散乱された光を示す。光軸ＢＢに沿ってメニスカスレンズ１と視野レンズ２とレンズ３，４とが、対象平面４９に配置された粒子の像面（image plane）４９’’における正立像（erect image）を形成する。粒子の中間像（intermediate image）は、メニスカスレンズ１によって視野レンズ２内の像面４９’において光軸ＢＢに沿って形成される。視野レンズ２内で中間像を形成することによって、粒子からメニスカスレンズ１に向かって反射され（reflected）、散乱され（scattered）、出射された（emitted）光だけが像面４９’’に合焦される。その結果、懸濁液中の粒子の像は、レンズ３，４の直接の結果として形成されないが、メニスカスレンズ１上に衝突した光の結果としてだけ形成される。
【００１９】
本発明の一実施形態において、メニスカスレンズ１は、懸濁媒体の屈折率（refractive index）よりも大きい屈折材料でできたエマージョンレンズ（emersion lens）である。メニスカスレンズ１は、懸濁媒体に接触する凹状の第１屈折面と凸状の第２反射面とを有する。第１及び第２の面は同心である必要はなく、どちらの面も対象平面４９に対して同心である必要はない。本発明の一実施形態において、メニスカスレンズ１の第１屈折面は懸濁媒体に不活性である。メニスカスレンズ１の第２反射面は第１屈折面によって保護されるから、メニスカスレンズ１はより精密な反射面を傷つける危険を冒すことなくきれいにされる。第１屈折面は更にある程度の光収差（optical aberrations）の修正の自由を見込む。そうでなければ、より少ない製造コストという利点に対して非球面は必要なく、像面４９’，４９’’において画質を低下させるだろう。メニスカスレンズの主な光学的な力（optical power）は反射面によって供給されるから、幅広い範囲の試験波長にわたる分散（dispersion）の問題は最小限にされるかもしれない。対象平面４９からの周辺光線（marginal ray）５０はメニスカスレンズ１の凹面によって屈折され、光線５０ａとしてメニスカスレンズ１の反射的な凸面に伝播する。レンズの被覆された凸面で反射して、反射光５０ｂはメニスカスレンズ１の凹面において再び屈折されて、屈折光５０ｃとしてレンズを出る。対象平面４９と中間像面４９’とは視野レンズ２内で光軸ＢＢに沿って配置されるから、懸濁媒体４７間の屈折率と視野レンズ２の屈折率とは類似し、中間像４９’は視野レンズ２の凸面に対して同心であるかほとんど同心であるので、屈折は視野レンズ２のいずれの側面でもほとんど起きない。メニスカスレンズ１は、懸濁媒体４７中の粒子から散乱された光の大部分を捉える大きな開口数（numerical aperture）を提供する。本発明の一実施形態において、散乱光全体の７分の１超は像面４９’’で粒子検知器５上に衝突するように利用される。周辺光線５０ｃは周辺光線５０ｄとしてレンズ３によって屈折され、周辺光線５０ｅとしてレンズ３から現れる。視野絞り（field stop）９は、懸濁媒体４７中の粒子から散乱される周辺光線が光学系を通って伝播する程度を画定する。視野絞り９の像はメニスカスレンズ１の表面又は表面近くに視野絞りの像９’として形成される。周辺光線５０ｅはレンズ４に伝播し、周辺光線５０ｆとして屈折され、粒子の正立像が像面４９’’で対象平面４９からの散乱光から形成される周辺光線５０ｇとしてレンズ４から現れる。主光線（principle ray）５１は視野絞り９の中心を通り、メニスカスレンズ１の表面に形成された視野絞りの像９’の中心も通過する光学系を通る類似の経路に続く。粒子検知器５が視野絞り９の無限共役（infinite conjugate）にあるように、視野絞り９はレンズ４から離れて置かれる。従って、視野絞り９に形成される像の任意の部分は、粒子検知器５の表面に等しく衝突する。
【００２０】
検知器５は、フォトダイオード、光電子増倍管（Photo-Multiplier Tube（PMT））、電荷結合素子（Charged Coupled Device（CCD））、相補型金属酸化膜半導体（Complementary Metal Oxide Semiconductor（CMOS））イメージセンサ、又は、光又は放射を電位又は電流を有する定量化された値へ変換する他の任意の手段である。本発明の一実施形態において、例えばＣＣＤやＣＭＯＳイメージセンサ等の領域アレイ検知器は、空間的な位置と増分領域（incremental area）とによってイメージセンサ上に形成された像の強度を測定するために使用される。この情報を使用して、機器は対象平面４９で懸濁液中の粒子の大きさ、形状、分布、出現頻度、速度を測定する。光軸ＢＢに沿って像に対する対象の倍率（magnification）は重要性のある測定のための充分な解像度（resolution）を提供し、懸濁液中で測定できる最大の領域を画定する。イメージセンサの大きさが６．４×４．８ｍｍで光学系の倍率が×２であれば、懸濁液中で測定できる最大の大きさは３．２×２．４ｍｍである。所定のイメージセンサにとって光電性の箇所（photosensitive site）の固定された数（fixed number）は現在例えば６４０×４８０画素であり、それ故に各画素は１０ミクロンメートルで、懸濁液中では画素当たり５ミクロンメートルの対象物の解像度を意味する。測定されるべき粒子が系の解像度よりも少なくとも２〜３倍大きいのであれば、対象物の大きさと形状との合理的な測定を決定できる。光軸ＢＢに沿った像の深度は光軸ＢＢに沿った照明光の直径又は幅の結果であり、及び／又は、像光学系の被写界深度（depth of field）である。画定される測定量（measurement volume）は、光軸ＢＢに沿った照明の幅、像光学系の被写界深度、光学系の倍率、粒子検知器の大きさを使用して決定される。画定される測定量中の照明される粒子又は蛍光の粒子の計数は、立方メートル当たりの計数として報告される。イメージセンサが積分型であれば、ＣＣＤやＣＭＯＳイメージセンサの場合のように、積分時間−−−機器の光電性領域（photosensitive area）上に蓄積される電荷に割り当てられる時間は、積分期間内に限界を超える画素数の測定によって懸濁液中の粒子の流速を測定するために使用される。結果として出力される像は時には「縞」として参照される。その長さと既知の積分時間とが粒子の速度の計算に使用でき、それ故に、懸濁媒体の流速の計算に使用される。懸濁液中の粒子の濃度が充分に高いとき個々の粒子はイメージセンサで識別できないが、フォトダイオード（感光性半導体素子）のそれと同じように、既知の積分期間中にイメージセンサ上に蓄積される電荷全体、又は、粒子検知器５のアンペア電流産出物（ampere current product）によって粒子の濃度として測定される。このことは、比濁分析標準液の既知の濃度に校正された懸濁液の曇り（cloudiness）や濁り（haze）の測定の比濁分析濁度単位（Nephelometric Turbidity Units（NTU））、ホルマジン比濁分析単位（Formazin Nephelometric Unit（FNU））、マクファーレン単位（McFarlane Units）、又は、他の標準的な比濁分析単位に相関する。
【００２１】
開示される発明は、単一の検知経路（single detection path）に限定されない。図６は、本発明の一実施形態において検知経路を１以上利用する時の光学的配置のブロック図を示す。第２の光軸ＣＣは光軸ＢＢに対して実質的に９０度に導入され、両者は光源の光軸に対して実質的に９０度に導入される。対象平面４９で粒子からの光の散乱は、粒子検知器５Ａに粒子の正立像（erect image）を形成するためにメニスカスレンズ１Ａ、視野レンズ２Ａ、レンズ３Ａ，４Ａを代わりに利用する図５に記述されたのと同じ方法（manor）で、収集されて光軸ＣＣに沿って透過される。２つの像は関連し、粒子検知器５Ａに形成された像は、粒子検知器５に形成される像の像側面（image profile）である。加えて、２つの検知器５，５Ａは同じスペクトル応答（spectral response）を有する必要ないし、メニスカスレンズ１，１Ａが同じスペクトル反射性（spectral reflectivity）を有する必要性もない。各光路がスペクトルの異なる部分に対して感度が良くなるように、実際は、各光路（optical path）は光学フィルタの付加、被覆の反射性（coating reflectivity）、検知器の応答性（detector response）によって改められて、対象平面４９で特定の波長（unique wavelength(s)）で懸濁媒体４７中の粒子からの吸収又は出射を検知する。
【００２２】
図７は、本発明の一実施形態における光源経路（light source path）の光学的配置のブロック図である。迷光の放射エネルギ（stray radiant energy）が光軸ＢＢに沿って粒子検知器５に伝播するのを防ぐことが望まれる。それゆえに、粒子検知器５に結像され得るよりも多い容量の試料が照明されないことが最良のやり方である。入力レンズ６は光源１０から光５３を５３ａとして合焦させて、試料容量の像が粒子検知器５に貢献する試料容量に照明を当てる。試料容量を通って光が伝播した後、光５３ｂとして懸濁液中の粒子によって吸収も拡散もされない透過光を、出力レンズ７は積分球１１の入口ポート１５へ指向させる。積分球１１の内側面１２上の被覆や仕上げは拡散反射的に最適化されて、透過光で積分球の内側面を均一に照明する。そのようにして、光源１０の透過光線の中で照明の光軸ＡＡに沿った光の正確な角度や分布にもかかわらず、透過検知器１７は光の同じ強度を測定する。積分球１１の出口ポート１６は、積分球１１の入口ポートに対して実質的に９０度に置かれる。透過検知器１７の直接の照明を防ぎ、その結果、光線の入射（incidence）と位置とに対する感度を減らすために、透過検知器１７の検知器５４，５４ａの視線（lines of sight）は入口ポート１５や積分球１１の内側面１２上の入射透過エネルギ（incident transmit energy）を含まない。透過検知器１７及び粒子検知器５から生成された信号は、透過光の散乱光に対する一部を決定するため、或いは、粒子の吸収や蛍光を測定するために利用される。比濁計（nephelometer）内の透過光の測定のための積分球の新規な用途のもう１つの有利な点は、積分球１１の内側面１２を横切った光の再分布（redistribution）にある。その結果、透過検知器１７の表面で強度が減少する。それによって、透過検知器１７上に衝突する入射光（incident light）の最大値を減らすための遮光器（light trap）又は中性の密度のフィルタ（neutral density filters）の必要性が除かれる。
【００２３】
開示された発明の独自の品質は、視野絞り９において光軸ＢＢに沿って置かれた対象物やマスクをメニスカスレンズ１の表面上又は近くに結像する能力である。図７ａに示されるように、視野絞り９の配置の環状マスク９ａの場所は、光軸ＢＢに関連して高い角度で対象平面４９から反射され散乱される光線だけを許容可能な伝播によって識別するのに利用される。絞り９に代わって使用される環状マスク９ｂ，９ｃは、光学系のエタンデュー（etendue）を一定に維持する一方で、散乱の許容可能な伝播角（angle of scatter）を変更するために利用される。エタンデューは、放射光を透過するための光学系の幾何学的な能力、即ち、スループットを特定するために使用される。エタンデューの数値的な値は一般に系の定数であり、開口部の大きさと系が光を受ける立体角（solid angle）との積として計算される。エタンデューはまた、光学系の集光即ち光を集める能力としても知られる。図７ｂに示されるように、図７の固定された視野絞り９のために代替された虹彩絞り（iris diaghragm）は、粒子検知器５上に衝突する光量と、全体の含まれた対象平面４９からの散乱角とを改めるために調節される場合がある。粒子から散乱されて照明の入射光線に向かう光は、比濁計の用語において「後方散乱」として参照される。対照的に、照明の光源から離れて散乱される光は、「前方散乱」として参照される。入射光源に向かう光、或いは、入射光源から離れる光のどちらでもない粒子から散乱される光は、比濁計の用語において「側方散乱」として参照される。図７ｃ乃至図７ｇにおいて示される形式の開口部またはマスクは、散乱の型によって粒子から散乱される光量の測定を許容する。懸濁媒体中の粒子の濃度に依存する線形性や感度（sensitivity）に関して異なる型の散乱は更に有効であるから、粒子の異なる濃度を測定することができるためにこのことは有効である。図７の視野絞り９の位置に置かれた光軸ＢＢからの円形マスクのオフセットは、図７ｃに示されるように、光軸ＢＢに対して偏心して９ａ，９ｂ，９ｃとして回転させ、円錐曲線（conic section）の区切りとして光軸ＢＢについての散乱角の優先的な選択を備えた光学系のエテンデューを一定に保つ。光軸ＢＢまわりに独立して回転され薄膜状で図７の視野絞り９の位置で互いに極めて近接する２つの半円形のマスクは、図７ｄにおいて９ａ，９ｂ，９ｃ，９ｄとして示される。マスクの回転は独立してセクターの開口部を生成する。その開口部を通って、光軸ＢＢまわりの散乱光の一部は、光学系を通って粒子検知器５へ散乱の選択された方向で通過することが許容される。シャッター形式のマスクは、図７ｅに示されるように、対象平面４９から散乱され出射される光の角度の一部を選択するのに利用される。シャッターは図７の開口部９の表面を横切って滑り、対象平面４９からの出射光の散乱角に依存する粒子検知器５に対する光線の伝播を優先的に透過し、又は、遮蔽する。図７ｅの位置９ａにあるシャッターは対象平面４９から前方へ散乱される光を透過する。独立して調節可能で互いに直行し薄膜状で図７の視野絞り９の位置で極めて近接する２つのシャッターが図７ｆに示される。２つのシャッターによって形成される開口部、セクターは、図７ｄの半円形状のマスクによって形成されるセクターのそれに似ず、光軸ＢＢから離れて移動することができる。偏光フィルムと電気的に偏光される液晶、例えば、透過型ＬＣＤ（液晶ディスプレイ（Liquid Crystal Display））を通過する散乱光の選択的な偏光によって制御された視野絞り９の位置で画素化されたマスク（pixilated mask）は、光が光軸ＢＢに沿ってＬＣＤを通って伝播することを交差偏波（cross polarization）によって遮断するために利用される。画素化されたマスクは、優先権なしに、以前に記述された開口部の記述された任意の又はすべての形式を代替できる。マスクの選択は検知器５が結局処理する反射角を効率的に選択する。代替的に、散乱又は出射光の角度、及び／又は、強度だけが対象平面４９から測定されるべきであり、粒子の存在又は蛍光の場合のように、散乱された粒子のどのような像も形成される必要はないとき、ＣＣＤやＣＭＯＳ像面センサ等の像アレイは、図７ｇに示されるように、視野絞り９に代わって置かれる。画素の像は視野絞りの像９’としてメニスカスレンズ１の表面に形成されるから、像面センサの画素上に衝突する光は、その結果、散乱角又は出射角によって識別される。図６に示されるように、多数の検知経路を有する光学的配置を使用して、粒子に対する散乱角の異なる測定が同時になされるように、異なるマスキング領域を有する多数のマスクが使用されることもある。
【００２４】
図８は、本発明の一実施形態における懸濁媒体の視野領域（view area）の光学的配置のブロック図である。光源１０からの光は、照明の火面（caustic）又は源の合焦された像を対象平面４９に形成するために、周辺光線（marginal ray）５３として入力レンズ６へ伝播する。散乱も吸収もされない光は光路ＡＡに沿って続き、粒子の物質によって吸収も散乱もされない光が入力ポート１５を通って積分球１１の内側面１２へとリレー（中継）されるレンズ７を出る。代替的に、懸濁媒体へ出射される光が平行光に変換され（collimated）又は合焦され、且つ、積分球へ範囲を定められた（subtended）角度が小さい場合、レンズ６，７は光学的な力（optical power）を有する必要はない。懸濁媒体が機器の外部の要素から分離される（isolated）必要がない場合、例えば粒子が空中又は他のガスや蒸気中を懸濁しているとき、レンズ６、７は完全に除去されるかもしれない。
【００２５】
本発明の一実施形態において、複数の照明経路（illumination path）が使用される。図９は、本発明の一実施形態における複数の光源経路（light source path）を利用する粒子測定システムのブロック図である。図９は、照明を光軸５２，５２Ａ，５２Ｂに沿って放射する光源１０，１０ａ，１０Ｂを有する。本発明の一実施形態において、光源１０，１０Ａ，１０Ｂは、同じスペクトル発光（spectral emission）を有する必要はなく、光軸５２，５２Ａ，５２Ｂに沿って光学フィルタ材料の導入によって、或いは、レンズ６，６Ａ，６Ｂ、及び／又は、レンズ７，７Ａ，７Ｂに使用される光学材料又は被覆の公正な選択によって、発光光の波長を選択したかもしれない。
【００２６】
本発明の他の特徴は、フローや粒子の流れを破壊（disruption）することなく機器の操作的な準備の校正や検証を容易にするために、光を既知の量や割合の検知経路へ導入する能力である。図１０に示されるように、メニスカスレンズ１の表面に同義の視野絞り９’の像面に、光軸ＢＢに沿って検知光学系（detection optics）の視界（field of view）の中に光を導入することによって、非破壊的な校正又は検証は達成される。透明なプラスチック、ガラス、他の好適な材料でできた環状導波管（annular waveguide）６０は、第２の光源５６からの光を、光軸５９に沿って全内面反射（Total Internal Reflection（ＴＩＲ））によって２つの鏡面の間を、環状導波管６０の外側の端から環状導波管６０の内側の端へ移動させる。粒子検知器はレンズ４の無限共役（infinite conjugate）にあるから、光を光軸ＢＢに沿って周辺光線の輪として散乱させて視野絞り９に環状導波管６０の像を形成するため、続いて粒子検知器５上に等しく衝突するために、環状導波管６０の内側の端は優先的に研磨されエッチング処理がされ被覆される。電気的又は機械的な手段の供給によって第２の光源５６が既知の強度で発光することを選択的に可能にすることによって、光が、光源１０によって刺激された粒子から散乱され出射される光に加えて、光軸ＢＢに沿って導入される。光源１０によって導入される光は懸濁媒体を通って移動しなければならないので、光源１０から透過検知器１７へ透過される光と同じ方法（manor）で、光は懸濁媒体中の粒子の濃度による光の吸収、散乱、出射から影響を受ける。光源１０から検知器１７へ透過される光量と、第２の光源５６から粒子検知器５へ透過される光量との比は、光源１０と第２の光源５６とが一定の強度で発光してすべての光学面が同じ方法で等級を下げれれば、一定である。指示された量以上に逸脱するという異常な状態は、異常状態の修正、或いは、比を確立された値に復元するための比の補償のいずれかのための正当な行動に関して、確立された値からの比の結果として存在する。
【００２７】
レンズ３，４は視野レンズ２内からの像をリレー（中継）するから、適用された電界によって部分的に散乱する視野レンズ２の材料や構造を選ぶためにこの整列を利用することも可能である。或いは、視野レンズ２の端へ出射される光を散乱によって再指向するために、又は、視野レンズ２内の光を光軸ＢＢに沿って出射して、その結果、粒子検知器５上に衝突させるために、他の刺激は光学的特徴が対象物に変化することを視野レンズ２に引き起こさせる。この整列は、散乱され出射された光が、妨げられず懸濁媒体を透過せず、生物学的な薄い層や懸濁媒体に接触する材料の析出（deposition）によって影響を受けないという有利な点を有する。従って、より安定的で再生産可能な校正や検証源が結果である。
【００２８】
図１１に示されるように、代替的に、光は光軸ＢＢに沿ってメニスカスレンズ１の凸面の光学的被覆の中央の被覆されていない部分、即ち、開口部５８を通して導入されることもある。第２の光源５６の像は、レンズ５７によって、メニスカスレンズ１の被覆されていない中央開口部５８を通して、視野絞り９の像９’と同義のメニスカスレンズ１の凹面で合焦される。物理的な放射器（radiator）はメニスカスレンズ１の凹面に存在しないが、代わって、第２の光源５６の像と、主光線（principle ray）で構成され周辺光線（marginal ray）を含まない光とが存在するから、第２の光源からの光の導入という代替の計画は、以前に記述された図１０の方法とは異なる。しかしながら、両者は検知光学系（detection optics）の視界（field of view）の中の視野絞り９の像面９’で光軸ＢＢに沿って光を効果的に出射するから、粒子検知器５上に衝突する光は結果として図１０の光の導入方法と図１１との間で識別できない。
【００２９】
操作的な準備の校正や検証の目的のために光軸ＢＢに沿って光を導入する他の手段は、図１２に示されるように、第２の光源のための必要性なしに本発明のために開示される。光源１０からの光は光軸ＢＢに沿って出射され、入力レンズ６と出力レンズ７とを通って積分半球（integrating hemisphere）１３の入力開口部１５を通って、積分球１１の内側面上に衝突する。光は積分球の内側面１２間の繰り返し入射によって拡散反射され、光軸５５に沿って積分球１１の出口開口部１６に現れる。回転軸６３まわりの回転によって選択可能な例によると、少なくとも１つの透過面、即ち、開口部６４と、少なくとも１つの反射領域６２とを備えた光学面６２は積分半球１３の出口開口部１６の向こうに置かれ、光を光軸５５に対して実質的に９０度に光軸６８に沿って反射し、或いは、光軸５５に対する開口部６４や反射領域（reflecting area）６２の整合に依存して光軸５５に沿って光を透過する。反射面６２が光軸５５に沿って置かれることで、出口開口部１６から現れる光は反射され、光軸６８に沿って置かれた透過検知器１７上に衝突し、その結果、光源１０からの透過光の測定が確かめられる。開口部６４が光軸５５に沿って置かれることで、出口開口部１６から開口絞り６５、レンズ６６、光ファイバー６７、レンズ５７を通る出射光のリレーによって、光軸ＢＢに沿ってメニスカスレンズ１の中央開口部５８を通った光の透過が許容される。光ファイバーの端の像は、視野絞り９の像９’に同義の中央開口部５８を通してメニスカスレンズ１の凹面で形成され、視野レンズ２、レンズ３、視野絞り９、レンズ４によって、透過検知器１７によって検知される光に比例して、粒子検知器５上に衝突する。
【図面の簡単な説明】
【００３０】
【図１】本発明の一実施形態において、粒子測定システムの光学的配置の断面図である。
【図２】本発明の一実施形態において、粒子測定システムの第１の側面図である。
【図３】本発明の一実施形態において、粒子測定システムの、メニスカスレンズが除去されたときの第２の側面図である。
【図４】本発明の一実施形態において、粒子測定システムの流路の断面図である。
【図５】本発明の一実施形態において、検知経路の光学的配置のブロック図である。
【図６】本発明の一実施形態において、２以上の検知経路を利用するときの光学的配置のブロック図である。
【図７】本発明の一実施形態において、光源経路の光学的配置のブロック図である。
【図７ａ−７ｇ】本発明の一実施形態において、懸濁液中の粒子から散乱角を区別するために使用される開口マスクの様々な配置と構成のブロック図である。
【図８】本発明の一実施形態において、懸濁媒体中の視界の光学的配置のブロック図である。
【図９】本発明の一実施形態において、複数の光源経路を利用する粒子測定システムのブロック図である。
【図１０】本発明の一実施形態において、環状の仮想源と第２の光源とを備える粒子測定システムの光学的配置のブロック図である。
【図１１】本発明の一実施形態において、凸レンズ面に被覆されない領域と第２の光源とを備える粒子測定システムの光学的配置のブロック図である。
【図１２】本発明の一実施形態において、主たる光源からの光を利用した現場構成及び検証の手段と、主たる光源のある割合を校正及び検証手段に迂回させる光学的切替手段の光学的詳細のブロック図である。
【図１】
2009531661.tif 000003
【図２】
2009531661.tif 000004
【図３】
2009531661.tif 000005
【図４】
2009531661.tif 000006
【図５】
2009531661.tif 000007
【図６】
2009531661.tif 000008
【図７−７ｃ】
2009531661.tif 000009
【図７ｄ−７ｇ】
2009531661.tif 000010
【図８】
2009531661.tif 000011
【図９】
2009531661.tif 000012
【図１０】
2009531661.tif 000013
【図１１】
2009531661.tif 000014
【図１２】
2009531661.tif 000015
【国際調査報告】
2009531661.tif 000016
2009531661.tif 000017
2009531661.tif 000018